(57)【要約】【課題】引戸締まり金具の利点を生かし、プッ・シュプルという簡単な操作で施錠状態及び解錠状態にすることができること。【解決手段】Ａ室とＢ室を仕切る引き違い戸用錠止具であって、この引き違い戸用錠止具は、一方の引戸の召し合せ部に第１座板を介して水平移動自在に設けられたメス嵌合筒部材と、このメス嵌合筒部材に対向するように他方の引戸の召し合せ部に第２座板を介して水平移動自在に設けられたオス嵌入杆部材とから成り、少なくともメス嵌合筒部材又はオス嵌入杆部材のいずれか一方が、Ａ室又はＢ室に存在する人の操作力により相手側の引戸に係合する軸芯内側方向に進入すると施錠状態となり、これに対して、メス嵌合筒部材及びオス嵌入杆部材の両方が、引戸との係合状態を解消する軸芯外側方向にそれぞれ後退すると解錠状態となる。【選択図】図５
2010070957.tif 000002
【特許請求の範囲】
【請求項１】
隣り合うＡ室とＢ室を仕切る引き違い戸用錠止具であって、この引き違い戸用錠止具は、一方の引戸の召し合せ部に第１座板を介して水平移動自在に設けられたメス嵌合筒部材と、このメス嵌合筒部材に対向するように他方の引戸の召し合せ部に第２座板を介して水平移動自在に設けられたオス嵌入杆部材とから成り、少なくとも前記メス嵌合筒部材又はオス嵌入杆部材のいずれか一方が、前記Ａ室又はＢ室に存在する人の操作力により相手側の前記引戸に係合する軸芯内側方向に進入すると施錠状態となり、これに対して、前記メス嵌合筒部材及びオス嵌入杆部材の両方が、前記引戸との係合状態を解消する軸芯外側方向にそれぞれ後退すると解錠状態となる引き違い戸用錠止具。
【請求項２】
請求項１に於いて、メス嵌合筒部材及びオス嵌入杆部材は、それぞれ「プッシュ」すると相手側の引戸に係合し或は互いに嵌合する錠止状態となり、一方、それぞれ「プル」すると前記引戸との係合状態が解消することを特徴とする引き違い戸用錠止具。
【請求項３】
請求項１に於いて、メス嵌合筒部材並びにオス嵌入杆部材は、それぞれの召し合せ部に内装された水平案内筒に案内されることを特徴とする引き違い戸用錠止具。
【請求項４】
請求項１に於いて、第１座板及び第２座板は、それぞれ引戸の外壁面に形成した横向き凹所に略入り込む引手であることを特徴とする引き違い戸用錠止具。
【発明の詳細な説明】
【技術分野】
【０００１】
本発明は、引き違い戸用錠止具に関し、特に、室内にニ以上の空間を引き違い戸を介して仕切りした環境の場で使用される引き違い戸用錠止具に関する。
【背景技術】
【０００２】
特許文献１の第１図乃至第６図には、引き違い戸用錠止具の一例が記載されている。特に、第６図には、引き違い戸を構成する一方の引戸の召し合せ部にメネジを有するネジ受け１３を固定し、このネジ受け１３の前記メネジに螺合する中折れねじ締まり本体４を他方の引戸の召し合せ部に小箱７を介して取付け、前記中折れねじ締まり本体４は、螺杆部２と、該螺杆部の外端部に軸支された板状摘み部とから構成されている（符号は公報記載のもの）。この特許文献１に記載の引き違い戸用錠止具は、「引戸締まり金具（ねじ締まり）」と称され、普通一般に雨戸用の締まり金具として古くから利用されている。
【０００３】
しかして、この種の引戸締まり金具は、室内から前記板状摘み部を操作して前記螺杆部２を前記ネジ受け１３に螺着すると、簡単に引き違い戸を錠止することができるという利点があるものの、あくまでも、防犯や雨戸の外れ防止に用いるものであるため、「Ａ室とＢ室」或は「Ａ空間とＢ空間」を仕切る引き違い戸には不向きであるという問題点があった。例えばインターネットカフェーに於いて、Ａ室にいる人とＢ室にいる人が引き違い戸を基準にして左右で端末機を操作してゲームの対戦をしている場合に、合意の上で引き違い戸の錠止状態を解き、引戸を直ちに開けたいような環境の場には使用することができないという欠点があった。
【特許文献１】実開昭６１−１４４１７２号公報
【発明の開示】
【発明が解決しようとする課題】
【０００４】
本発明の所期の目的は、例えばインターネットカフェーに於いて、Ａ室にいる人とＢ室にいる人が引き違い戸を基準にして、端末機を用いてゲーム対戦や会話をしている場合に、合意の上で引き違い戸の錠止状態を解き、互いに引戸を直ちに開けたいような環境の場で実施することができることある。第２の目的は、引戸締まり金具の利点を生かし、簡単な操作で「施錠状態」及び「解錠状態」にすることができることである。
【課題を解決するための手段】
【０００５】
本発明の引き違い戸用錠止具は、隣り合うＡ室とＢ室を仕切る引き違い戸用錠止具であって、この引き違い戸用錠止具は、一方の引戸の召し合せ部に第１座板を介して水平移動自在に設けられたメス嵌合筒部材と、このメス嵌合筒部材に対向するように他方の引戸の召し合せ部に第２座板を介して水平移動自在に設けられたオス嵌入杆部材とから成り、少なくとも前記メス嵌合筒部材又はオス嵌入杆部材のいずれか一方が、前記Ａ室又はＢ室に存在する人の操作力により相手側の前記引戸に係合する軸芯内側方向に進入すると施錠状態となり、これに対して、前記メス嵌合筒部材及びオス嵌入杆部材の両方が、前記引戸との係合状態を解消する軸芯外側方向にそれぞれ後退すると解錠状態となることを特徴とする。
【０００６】
上記構成に於いて、メス嵌合筒部材及びオス嵌入杆部材は、それぞれ「プッシュ」すると相手側の引戸に係合し或は互いに嵌合する錠止状態となり、一方、それぞれ「プル」すると前記引戸との係合状態が解消することを特徴とする。また、メス嵌合筒部材並びにオス嵌入杆部材は、それぞれの召し合せ部に内装された水平案内筒に案内されることを特徴とする。さらに、第１座板及び第２座板は、それぞれ引戸の外壁面に形成した横向き凹所に略入り込む引手であることを特徴とする。
【発明の効果】
【０００７】
（ａ）例えばインターネットカフェーに於いて、Ａ室にいる人とＢ室にいる人が引き違い戸を基準にして、お互いに顔を見ないで端末機の操作等をしている場合に、合意の上で引き違い戸の錠止状態を解き、お互いに引戸を直ちに開けたいような環境の場で実施することができる。それ故に、例えば端末機を用いてゲーム対戦をする場合にはゲームに集中することができる、隣り合う人同士の空間乃至プライバシーを確保することができる等の利点がある。
（ｂ）引戸締まり金具の利点を生かし、プッ・シュプルという簡単な操作で「施錠状態」及び「解錠状態」にすることができる。
（ｃ）メス嵌合筒部材並びにオス嵌入杆部材が、それぞれの召し合せ部に内装された水平案内筒に案内される実施例の場合には、メス嵌合筒部材及びオス嵌入杆部材は、各水平案内筒に安定的に支持される。
（ｄ）第１座板及び第２座板が、それぞれ引戸の外壁面に形成した横向き凹所に略入り込む引手である実施例の場合には、メス嵌合筒部材及びオス嵌入杆部材のそれぞれの操作部が邪魔にならないので、所望するように各引戸を隣り合うＡ室とＢ室の各壁面を形成する戸袋に収納させることができる。
（ｅ）シリンダ錠を用いないので、合鍵を紛失することもない。
【発明を実施するための最良の形態】
【０００８】
以下、図１乃至図９に示す本発明を実施するための最良の形態（第１実施例）により説明する。
【０００９】
（１）発明の実施の環境
図１乃至図３を参照にして発明の実施の環境を簡単に説明する。図１は実施の環境を示す概略横断面説明図である。図１に於いて、Ｘは引き違い戸用錠止具で、この引き違い戸用錠止具Ｘは、例えばインターネットカフェーに於ける隣り合うＡ室とＢ室を仕切る引き違い戸用の錠止具として使用されている。インターネットカフェーの前記Ａ室とＢ室は、障子のようなパネル１を任意の形状に（例えば横断面が四角になるように囲って）組立てることにより形成されている。まず、符号２はＡ室とＢ室を仕切る引き違い戸で、該引き違い戸２は、一方の引戸２Ａと他方の引戸２Ｂから成る。引き違い戸用錠止具Ｘは、これらの引戸２Ａ、２Ｂの召し合せ部に装着されている。
【００１０】
次に、符号３はＡ室とＢ室を仕切る壁面を形成する戸袋で、この戸袋３は一方の引戸２Ａと他方の引戸２Ｂをそれぞれ収納することができるように四角のパネル１内の略中央部に設けられている。本発明の特定要件ではないが、この戸袋３を基準として、Ａ室とＢ室には机４、４Ａがそれぞれ配置されている。なお、Ａ室とＢ室の出入り口５には、引戸方式の戸６がそれぞれ設けられている。
【００１１】
図２は、図１の２−２線概略断面説明図であり、この図２では、一方の引戸２Ａ及び他方の引戸２Ｂがそれぞれ戸袋３から完全に出ている状態を示している。したがって、Ｂ室にいる人からはＡ室にいる人の顔は全く見えない。それ故に、例えば端末機を用いたゲームの対戦時、隣り合う人同士の空間乃至プライバシーは完全に確保されている。
【００１２】
図３は、図１の３−３線概略断面説明図であり、この図２では、パネル１で囲われた一つの空間が引き違い戸２及び戸袋３を介して「Ａ室」と「Ｂ室」に仕切られていることを示す。
【００１３】
本実施例では、Ａ室とＢ室は略同一の大きさであり、机４、４Ａの付近には端末機（いわゆるパソコン）等を使用することができるように不番のコンセントが設けられている。したがって、Ａ室にいる人とＢ室にいる人は、それぞれ図示しない端末機を利用することができる。
【００１４】
（２）各部材の具体的構成
以下、本発明の特定要件について順次説明する。図４は引き違い戸用錠止具Ｘが施錠状態であることを示し、一方、図５は引き違い戸用錠止具Ｘが解錠状態であることを示す。また、図６及び図７で示すように、引き違い戸用錠止具Ｘは、一方の引戸２Ａと他方の引戸２Ｂの各召し合せ部２ａ、２ａに装着されている。
【００１５】
すなわち、本実施例の引き違い戸用錠止具Ｘは、一方の引戸２Ａの召し合せ部２ａに丸座或は長板状の第１座板１１を介して水平移動自在に設けられたメス嵌合筒部材１２と、このメス嵌合筒部材１２に対向するように他方の引戸２Ｂの召し合せ部２ａに丸座或は長板状の第２座板１３を介して水平移動自在に設けられたオス嵌入杆部材１４とから成る。
【００１６】
前記各召し合せ部２ａ、２ａには、引戸２Ａ、２Ｂの厚さ方向にメス嵌合筒部材１２とオス嵌入杆部材１４をそれぞれ嵌め込むための嵌合孔１５，１６が形成されている。これらの嵌合孔１５，１６の引戸２Ａ、２Ｂの厚さ方向の段差形状（大径部分と小径部分）は、メス嵌合筒部材１２の嵌合筒部の外径、該嵌合筒部を案内する第１水平案内筒の外径、オス嵌入杆部材１４の嵌入杆部の外径、該嵌入杆部を案内する第２水平案内筒の外径等を考慮して任意に設定される。
【００１７】
ここで、図７及び図８を参照にして引き違い戸用錠止具Ｘの具体的構成を説明する。図７は引き違い戸用錠止具Ｘの分解斜視図、一方、図８は長板状の第１座板１１にメス嵌合筒部材１２を装着すると共に、長板状の第２座板１３にもオス嵌入杆部材１４を装着した概略説明図である。
【００１８】
図７及び図８に於いて、まず、第１座板１１は、中央部（中央部寄りの部位も含む）に軸孔１７を有している。この第１座板１１は、両端部に形成された取付け孔１８，１８及び複数個の固着具１９を介して引戸２Ａの召し合せ部２ａの外壁面に固定される。
【００１９】
次に、第１座板１１に前記軸孔１７を介してスライド自在に取付けられるメス嵌合筒部材１２は、軸孔１７を貫通する所定長の軸２１と、この軸２１の内端部に外嵌合状態で固定された嵌合筒部２２と、前記軸２１の外端部に枢着された摘み部（操作部）２３とから成り、前記嵌合筒部２２は、図４及び図５で示すように引戸２Ａの召し合せ部２ａの嵌合孔１５に固定的に内装された第１水平案内筒２４に案内される。
【００２０】
一方、第２座板１３も、第１座板１１と同様に、その中央部（中央部寄りの部位も含む）に軸孔２５を有している。この第２座板１３は、両端部に形成された取付け孔２６，２６及び複数個の固着具２７を介して引戸２Ｂの召し合せ部２ａの外壁面に固定される。
【００２１】
そして、第２座板１３に前記軸孔２５を介してスライド自在に取付けられるオス嵌入杆部材１４は、軸孔２５を貫通する所定長の嵌入杆部２８と、この嵌入杆部２８の外端部に枢着された軸部２９ａを有する摘み部（操作部）２９とから成り、前記嵌入杆部２８の中央部（中央部寄りの部位も含む）の貫通小孔には、ピン状のストッパ３０がカシメ固定されていると共に、本実施例では、該ストッパ３０を基準とする嵌入杆部２８の外端部乃至前記摘み部（操作部）２９の軸部２９ａは、図４及び図５で示すように引戸２Ｂの召し合せ部２ａの嵌合孔１６に固定的に内装された第２水平案内筒３１に案内される。
【００２２】
（３）施錠状態と解錠状態
図９は、本実施例の施錠状態と解錠状態を示す概略説明図である。この図９から明らかなように、図４で示した施錠状態は、施錠態様の一つであることが理解できる。本実施例の施錠態様は、図９の（ａ）、（ｂ）及び（ｃ）の３つある。
【００２３】
図９の（ａ）の施錠態様は、矢印方向にメス嵌合筒部材１２及びオス嵌入杆部材１４の両方が、「プッシュ」されている場合である。メス嵌合筒部材１２及びオス嵌入杆部材１４の両方がそれぞれ軸芯内側方向に進入すると、メス嵌合筒部材１２の嵌合筒部２２の先端部が、図４で示すように引戸２Ｂの召し合せ部２ａの嵌合孔１６に入り込み、一方、前記嵌合筒部２２の先端部にオス嵌入杆部材１４の嵌入杆部２８の先端部が嵌入する。これにより、両方の部材（メス嵌合筒部材１２及びオス嵌入杆部材１４）が「施錠状態」となる。
【００２４】
これ対して、図９の（ｂ）及び（ｃ）の施錠態様は、Ａ室にいる人とＢ室にいる人との意思が合致せず、一方の人のみが、メス嵌合筒部材１２やオス嵌入杆部材１４を「プル」した場合である。図９の（ｂ）及び（ｃ）から明らかなように、少なくとも前記メス嵌合筒部材１２又はオス嵌入杆部材１４のいずれか一方が、前記Ａ室又はＢ室に存在する人の操作力により相手側の前記引戸（２Ａ／２Ｂ）に係合する軸芯内側方向に進入すると「施錠状態」となる。
【００２５】
これに対して、図９の（ｄ）は、Ａ室並びにＢ室に存在する人が互いに合意した後、メス嵌合筒部材１２及びオス嵌入杆部材１４の各操作部２３，２９を摘んで「プル」した場合である。Ａ室並びにＢ室に存在する人の操作力により前記メス嵌合筒部材１２及びオス嵌入杆部材１４の両方が、引戸（２Ａ／２Ｂ）との係合状態を解消する軸芯外側方向にそれぞれ後退すると「解錠状態」となる。
【００２６】
このように、本実施例では、メス嵌合筒部材１２及びオス嵌入杆部材１４は、それぞれ「プッシュ」すると相手側の引戸に係合し或は互いに嵌合する錠止状態となり、一方、それぞれ「プル」すると前記引戸との係合状態が解消する（特徴部分）。
【実施例】
【００２７】
発明の実施の形態で示した第１実施例に於いて、オス嵌入杆部材１４のストッパ３０を基準とする嵌入杆部２８の外端部乃至前記摘み部（操作部）２９の軸部２９ａは、例えば図５で示すように引戸２Ｂの嵌合孔１６内の第２水平案内筒３１に案内されるが、もちろん、第２水平案内筒３１の位置は、本実施例に限定されるものではなく、引戸２Ｂの内壁面側（引戸２Ａの第１水平案内筒２４と対向する側）に内装しても良い。このような場合には、メス嵌合筒部材１２の嵌合筒部２２は、引戸２Ｂの嵌合孔１６に第２水平案内筒３１を介して間接的に係合する。
【００２８】
また、図１０及び図１１は、第１座板１１Ａ及び第２座板１３Ａは、それぞれ引戸２Ａ、２Ｂの各外壁面に形成した横向き凹所３５，３６に略入り込む引手であることを示している（これを便宜上「第２実施例」という）。
【００２９】
この第２実施例では、メス嵌合筒部材１２及びオス嵌入杆部材１４のそれぞれの操作部２３、２９が邪魔にならないので、所望するように各引戸２Ａ、２Ｂを隣り合うＡ室とＢ室の各壁面を形成する戸袋３に収納させることができる。
【産業上の利用可能性】
【００３０】
本発明は、主にインターネットカフェー等のサービス業界で利用される。また、錠前の分野でも施工され得る。
【図面の簡単な説明】
【００３１】
図１乃至図９は本発明の最良の第１実施例を示す各説明図。図１０及び図１１は本発明の第２実施例を示す各説明図。
【図１】実施の環境を示す概略横断面説明図。
【図２】図１の２−２線概略断面説明図。
【図３】図１の３−３線概略断面説明図。
【図４】施錠状態の一例を示す概略断面説明図。
【図５】解錠状態を示す概略断面説明図。
【図６】引き違い戸の召し合せ部に引き違い戸用錠止具Ｘを装着した斜視図。
【図７】引き違い戸用錠止具Ｘの分解斜視図。
【図８】長板状の第１座板にメス嵌合筒部材を装着すると共に、長板状の第２座板にもオス嵌入杆部材を装着した概略説明図。
【図９】本実施例の施錠状態と解錠状態を示す概略説明図。
【図１０】第２実施例の解錠状態を示す概略断面説明図。
【図１１】第２実施例の斜視からの説明図。
【符号の説明】
【００３２】
Ｘ…引き違い戸用錠止具、1…パネル、２…引き違い戸、２Ａ…方の引戸、２Ｂ…他方の引戸、２ａ…召し合せ部、３…戸袋、１１，１１Ａ…第１座板、１２…メス嵌合筒部材、１３…第２座板、１４…オス嵌入杆部材、１５、１６…嵌合孔、１７…軸孔、２１…軸、２２…嵌合筒部、２３…摘み部（操作部）、２４…第１水平案内筒、２５…軸孔、２８…嵌入杆部、２９…摘み部（操作部）、２９ａ…軸部、３０…ストッパ、３１…第２水平案内筒。
【図１】
2010070957.tif 000003
【図２】
2010070957.tif 000004
【図３】
2010070957.tif 000005
【図４】
2010070957.tif 000006
【図５】
2010070957.tif 000007
【図６】
2010070957.tif 000008
【図７】
2010070957.tif 000009
【図８】
2010070957.tif 000010
【図９】
2010070957.tif 000011
【図１０】
2010070957.tif 000012
【図１１】
2010070957.tif 000013